(57)【要約】  共有通信媒体上での制御チャネルシグナリングのための技法が開示される。アクセスポイントまたはアクセス端末は、各々が複数の時間ドメインのシンボル期間に広がるサブフレームのセットを定義する時分割複信（ＴＤＤ）フレーム構造に従って、通信媒体上で通信し得る。アップリンクシグナリングのために構成されたサブフレームの一部分におけるサブフレームのうちの１つまたは複数上の短い物理アップリンク制御チャネル（ｓＰＵＣＣＨ）を介して、受信制御情報を、アクセスポイントは送信し得、アクセス端末は受信し得る。アップリンクシグナリングのために構成されたサブフレームの一部分において、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備え得る。
2019502300.tif 000002
【特許請求の範囲】
【請求項１】
通信方法であって、
各々が複数の時間ドメイン(time-domain)のシンボル期間に広がるサブフレームのセットを定義する時分割複信（ＴＤＤ）フレーム構造に従って、通信媒体上で通信することと、および
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信すること、ここにおいて、前記ｓＰＵＣＣＨは、前記１つまたは複数のサブフレームのうちの各々における前記シンボル期間の全てよりも少ないサブセットを集合的(collectively)に占有する１つまたは複数のペイロードシンボルおよび１つまたは複数のパイロットシンボルを備える、と
を備える、方法。
【請求項２】
前記ｓＰＵＣＣＨは、周波数ドメインサブキャリアのセットから形成された複数のインタレースされたリソースブロック（ＲＢｓ）に広がる、請求項１に記載の方法。
【請求項３】
前記通信媒体上でトラフィック状態をモニタすることと、
前記モニタされたトラフィック状態に基づいて、前記ｓＰＵＣＣＨについて持続時間インジケータを構成することと、および
前記持続時間インジケータを１つまたは複数のアクセス端末にブロードキャストまたはマルチキャストすることと
をさらに備える、請求項１に記載の方法。
【請求項４】
前記周波数ドメイン、前記時間ドメイン、またはそれらの組合せにおいて前記ｓＰＵＣＣＨ上で複数のアクセス端末を多重化することをさらに備える、請求項１に記載の方法。
【請求項５】
前記ｓＰＵＣＣＨは、前記ＴＤＤフレーム構造によって定義されたサブフレームの前記セットの中の特別なサブフレームのアップリンク部分上で送信または受信される、請求項１に記載の方法。
【請求項６】
前記ｓＰＵＣＣＨが送信または受信される前記アップリンク部分は、前記特別なサブフレームのギャップ部分およびダウンリンク部分に続く前記特別なサブフレームの前記終わりに、位置される、請求項５に記載の方法。
【請求項７】
前記特別なサブフレームは、前記ＴＤＤフレーム構造内のダウンリンク−アップリンク(downlink-to-uplink)遷移境界に位置される、請求項６に記載の方法。
【請求項８】
前記ｓＰＵＣＣＨが送信または受信される前記アップリンク部分は、前記特別なサブフレームのギャップ部分およびダウンリンク部分に先行する前記特別なサブフレームの前記始まりに位置される、請求項５に記載の方法。
【請求項９】
前記特別なサブフレームは、前記ＴＤＤフレーム構造内のアップリンク−ダウンリンク(uplink-to-downlink)遷移境界に位置される、請求項８に記載の方法。
【請求項１０】
前記ｓＰＵＣＣＨペイロードシンボルは、前の送信機会（ＴＸＯＰ）ＡＣＫ／ＮＡＣＫフィールドと現在のＴＸＯＰ  ＡＣＫ／ＮＡＣＫフィールドとに分けられる肯定応答／否定応答（ＡＣＫ／ＮＡＣＫ）インジケータを備える、請求項１に記載の方法。
【請求項１１】
前記ｓＰＵＣＣＨが送信または受信される前記ＴＤＤフレーム構造内の特別なサブフレームの位置に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定することをさらに備える、請求項１０に記載の方法。
【請求項１２】
前記ＴＤＤフレーム構造に関連付けられたＴＤＤ構成に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定することをさらに備える、請求項１０に記載の方法。
【請求項１３】
通信装置であって、
少なくとも１つのプロセッサと、
前記少なくとも１つのプロセッサに結合された少なくとも１つのメモリ、前記少なくとも１つのプロセッサおよび前記少なくとも１つのメモリは、各々が複数の時間ドメインのシンボル期間に広がるサブフレームのセットを定義する時分割複信（ＴＤＤ）フレーム構造に従って、通信媒体上で通信を制御するように構成されている、と、および
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信するように構成された少なくとも１つのトランシーバ、ここにおいて、前記ｓＰＵＣＣＨは、前記１つまたは複数のサブフレームのうちの各々における前記シンボル期間の全てよりも少ないサブセットを集合的に占有する１つまたは複数のペイロードシンボルおよび１つまたは複数のパイロットシンボルを備える、と
を備える、通信装置。
【請求項１４】
前記ｓＰＵＣＣＨは、周波数ドメインサブキャリアのセットから形成された複数のインタレースされたリソースブロック（ＲＢｓ）に広がる、請求項１３に記載の装置。
【請求項１５】
前記少なくとも１つのプロセッサおよび前記少なくとも１つのメモリは、前記通信媒体上でトラフィック状態をモニタするように、および前記モニタされたトラフィック状態に基づいて、前記ｓＰＵＣＣＨについて持続時間インジケータを構成するようにさらに構成される、および
前記少なくとも１つのトランシーバは、１つまたは複数のアクセス端末に前記持続時間インジケータをブロードキャストまたはマルチキャストするようにさらに構成される、
請求項１３に記載の装置。
【請求項１６】
前記少なくとも１つのプロセッサおよび前記少なくとも１つのメモリは、前記周波数ドメイン、前記時間ドメイン、またはそれらの組合せにおいて前記ｓＰＵＣＣＨ上で複数のアクセス端末を多重化するようにさらに構成する、請求項１３に記載の装置。
【請求項１７】
前記少なくとも１つのトランシーバは、前記ＴＤＤフレーム構造によって定義されたサブフレームの前記セットの中の特別なサブフレームのアップリンク部分上で前記ｓＰＵＣＣＨを送信または受信するようにさらに構成される、請求項１３に記載の装置。
【請求項１８】
前記ｓＰＵＣＣＨが送信または受信される前記アップリンク部分は、前記特別なサブフレームのギャップ部分およびダウンリンク部分に続く前記特別なサブフレームの前記終わりに、位置される、請求項１７に記載の装置。
【請求項１９】
前記特別なサブフレームは、前記ＴＤＤフレーム構造内のダウンリンク−アップリンク遷移境界に位置される、請求項１８に記載の装置。
【請求項２０】
前記ｓＰＵＣＣＨが送信または受信される前記アップリンク部分は、前記特別なサブフレームのギャップ部分およびダウンリンク部分に先行する前記特別なサブフレームの前記始まりに位置される、請求項１７に記載の装置。
【請求項２１】
前記特別なサブフレームは、前記ＴＤＤフレーム構造内のアップリンク−ダウンリンク遷移境界に位置される、請求項２０に記載の装置。
【請求項２２】
前記ｓＰＵＣＣＨペイロードシンボルは、前の送信機会（ＴＸＯＰ）ＡＣＫ／ＮＡＣＫフィールドと現在のＴＸＯＰ  ＡＣＫ／ＮＡＣＫフィールドとに分けられる肯定応答／否定応答（ＡＣＫ／ＮＡＣＫ）インジケータを備える、請求項１３に記載の装置。
【請求項２３】
前記少なくとも１つのプロセッサおよび前記少なくとも１つのメモリは、前記ｓＰＵＣＣＨが送信または受信される前記ＴＤＤフレーム構造内の特別なサブフレームの位置に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定するようにさらに構成される、請求項２２に記載の装置。
【請求項２４】
前記少なくとも１つのプロセッサおよび前記少なくとも１つのメモリは、前記ＴＤＤフレーム構造に関連付けられたＴＤＤ構成に基づいて、前記前のＴＸＯＰ  ＡＣＫ／ＮＡＣＫフィールドと前記現在のＴＸＯＰ  ＡＣＫ／ＮＡＣＫフィールドとの間の相対的な長さを設定するようにさらに構成される、請求項２２に記載の装置。
【請求項２５】
通信装置であって、
各々が複数の時間ドメインのシンボル期間に広がるサブフレームのセットを定義する時分割複信（ＴＤＤ）フレーム構造に従って、通信媒体上で通信するための手段と、および
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信するための手段と、ここにおいて、前記ｓＰＵＣＣＨは、前記１つまたは複数のサブフレームのうちの前記シンボル期間の各々における全てよりも少ないサブセットを集合的に占有する１つまたは複数のペイロードシンボルおよび１つまたは複数のパイロットシンボルを備える、と
を備える、通信装置。
【請求項２６】
前記ｓＰＵＣＣＨは、周波数ドメインサブキャリアのセットから形成された複数のインタレースされたリソースブロック（ＲＢｓ）に広がる、請求項２５に記載の装置。
【請求項２７】
前記ｓＰＵＣＣＨは、前記ＴＤＤフレーム構造によって定義されたサブフレームの前記セットの中の特別なサブフレームのアップリンク部分上で送信または受信される、請求項２５に記載の装置。
【請求項２８】
少なくとも１つのプロセッサによって実行されると、それは、前記少なくとも１つのプロセッサに、通信のための動作を行わせるコードを備える非一時的なコンピュータ読取り可能媒体であって、
各々が複数の時間ドメインのシンボル期間に広がるサブフレームのセットを定義する時分割複信（ＴＤＤ）フレーム構造に従って、通信媒体上で通信するためのコードと、および
アップリンクシグナリングのために構成された前記サブフレームの一部分における前記サブフレームのうちの１つまたは複数上の短い物理アップリンク制御チャネル（ｓＰＵＣＣＨ）を介して、制御情報を送信または受信するためのコード、ここにおいて、前記ｓＰＵＣＣＨは、前記１つまたは複数のサブフレームのうちの各々における前記シンボル期間の全てよりも少ないサブセットを集合的に占有する１つまたは複数のペイロードシンボルおよび１つまたは複数のパイロットシンボルを備える、と
を備える、非一時的なコンピュータ読取り可能媒体。
【請求項２９】
前記ｓＰＵＣＣＨは、周波数ドメインサブキャリアのセットから形成された複数のインタレースされたリソースブロック（ＲＢｓ）に広がる、請求項２８に記載の非一時的なコンピュータ読取り可能媒体。
【請求項３０】
前記ｓＰＵＣＣＨは、前記ＴＤＤフレーム構造によって定義されたサブフレームの前記セットの中の特別なサブフレームのアップリンク部分上で送信または受信される、請求項２８に記載の非一時的なコンピュータ読取り可能媒体。
【発明の詳細な説明】
【関連出願の相互参照】
【０００１】
[0001]本願は、「PHYSICAL CONTROL CHANNEL SIGNALING ON A SHARED COMMUNICATION MEDIUM」と題され、２０１５年１１月１８日に出願され、その譲渡人に譲渡され、その全文が参照により本明細書に明確に組み込まれる、米国仮特許出願第６２／２５７，１６９号の利益を主張する。
【技術分野】
【０００２】
[0002]本開示の態様は、一般に電気通信に関し、より具体的には、共有通信媒体などの上の動作に関する。
【０００３】
[0003]ワイヤレス通信システムは、音声、データ、マルチメディアなどの様々なタイプの通信コンテンツを提供するために広く展開されている。代表的なワイヤレス通信システムは、利用可能なシステムリソース（例えば、帯域幅、送信電力、等）を共有することによって、複数のユーザとの通信をサポートすることができる多元接続システムである。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、などを含む。これらのシステムは、例えば、第３世代パートナーシッププロジェクト（３ＧＰＰ（登録商標））によって提供されたロングタームエボリューション（ＬＴＥ（登録商標））、第３世代パートナーシッププロジェクト２（３ＧＰＰ２）によって提供されたウルトラモバイルブロードバンド（ＵＭＢ：Ultra Mobile Broadband）およびエボリューション・データオプティマイズド（ＥＶ−ＤＯ：Evolution Data Optimized）、電気電子技術者協会（ＩＥＥＥ）によって提供された８０２．１１、等のような仕様に準拠して、たびたび展開されている。
【０００４】
[0004]セルラネットワークにおいて、「マクロセル」アクセスポイントは、ある特定の地理的エリア上の多数のユーザに接続性とカバレッジを提供する。マクロネットワーク展開は、地理的領域上で良好なカバレッジを用意する（offer）ために、注意深く計画され、設計され、およびインプリメントされる(implemented)。例えば、移住用住居およびオフィスビルなどの屋内のまたは他の特定の地理的カバレッジを改善するために、追加の「スモールセル」、典型的に低電力アクセスポイントは、近年、従来のマクロネットワークを補足する（supplement）ために展開され始めている。スモールセルアクセスポイントはまた、インクリメンタルな能力成長（incremental capacity growth）、より豊かなユーザ・エクスペリエンス、などを提供する。
【０００５】
[0005]スモールセルＬＴＥ動作は、例えば、ワイヤレスローカルエリアネットワーク（ＷＬＡＮ）技術によって使用されるＵ−ＮＩＩ（Unlicensed National Information Infrastructure）バンドのようなアンライセンスの周波数スペクトルに拡張されてきた。スモールセルＬＴＥ動作のこの拡張は、スペクトルの効率性、この故に、ＬＴＥシステムの能力を増やすために設計される。しかしながら、それは、典型的に同じアンライセンスのバンドを利用する他の無線アクセス技術（ＲＡＴ）、中でも注目すべきは、「Ｗｉ−Ｆｉ」と一般に称されるＩＥＥＥ８０２．１１ｘのＷＬＡＮ技術、の動作と共存する必要があり得る。
【発明の概要】
【０００６】
[0006]次の概要は、本開示の様々な態様の記述に役立つためにただ提供され、および、それらの制限ではなく、それらの態様の例示のためにただ提供される概説である。
【０００７】
[0007]１つの例において、通信方法が開示される。方法は、例えば、各々が複数の時間ドメインのシンボル期間に広がる(span)サブフレームのセットを定義する時分割複信（ＴＤＤ）フレーム構造に従って、通信媒体上で通信することと、アップリンクシグナリングのために構成されたサブフレームの一部分におけるサブフレームのうちの１つまたは複数上の短い物理アップリンク制御チャネル（ｓＰＵＣＣＨ）を介して、制御情報を送信または受信すること、ここにおいて、ｓＰＵＣＣＨは、１つまたは複数のサブフレームのうちの各々におけるシンボル期間のすべてより少ない(less than all of the symbol periods)サブセットを集合的(collectively)に占有する１つまたは複数のペイロードシンボルおよび１つまたは複数のパイロットシンボルを備える、とを含み得る。
【０００８】
[0008]１つの例において、通信装置が開示される。装置は、例えば、少なくとも１つのプロセッサと、少なくとも１つのプロセッサに結合された少なくとも１つのメモリと、少なくとも１つのトランシーバを含み得る。少なくとも１つのプロセッサおよび少なくとも１つのメモリは、各々が複数の時間ドメインのシンボル期間に広がるサブフレームのセットを定義するＴＤＤフレーム構造に従って、通信媒体上で通信を制御するように構成され得る。少なくとも１つのトランシーバは、アップリンクシグナリングのために構成されたサブフレームの一部分におけるサブフレームのうちの１つまたは複数上のｓＰＵＣＣＨを介して、制御情報を送信または受信するように構成され得、ここにおいて、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備える。
【０００９】
[0009]別の例において、別の通信装置が開示される。装置は、例えば、各々が複数の時間ドメインのシンボル期間に広がるサブフレームのセットを定義するＴＤＤフレーム構造に従って、通信媒体上で通信するための手段と、アップリンクシグナリングのために構成されたサブフレームの一部分におけるサブフレームのうちの１つまたは複数上のｓＰＵＣＣＨを介して、制御情報を送信または受信するための手段、ここにおいて、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備える、とを含み得る。
【００１０】
[0010]別の例において、一時的または非一時的なコンピュータ読み取り可能媒体が、開示され、少なくとも１つのプロセッサによって実行されると、それは、少なくとも１つのプロセッサに、通信のための動作を行わせる。コンピュータ読取り可能媒体は、例えば、各々が複数の時間ドメインのシンボル期間に広がるサブフレームのセットを定義するＴＤＤフレーム構造に従って、通信媒体上で通信するためのコードと、アップリンクシグナリングのために構成されたサブフレームの一部分におけるサブフレームのうちの１つまたは複数上のｓＰＵＣＣＨを介して、制御情報を送信または受信するためのコード、ここにおいて、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備える、とを含み得る。
【図面の簡単な説明】
【００１１】
[0011]添付図面は、本開示の様々な態様の記述に役立つために提示され、および、それらの制限ではなく、態様の例示のためにただ提供される。
【図１】[0012]図１は、例となるワイヤレスネットワーク環境を例示するシステムレベルの図である。
【図２】[0013]図２は、例となる時分割複信（ＴＤＤ）フレーム構造を例示する。
【図３】[0014]図３は、短い物理アップリンク制御チャネル（ｓＰＵＣＣＨ）のための例となる物理レイヤ構造を例示するリソースマップである。
【図４】[0015]図４は、ｓＰＵＣＣＨ持続時間を適応させるための例となる調整プロシージャを例示するシグナリングフロー図である。
【図５】[0016]図５は、複数のアクセス端末にわたる例となるｓＰＵＣＣＨ多重化スキームを例示するリソースマップである。
【図６Ａ】[0017]図６Ａ〜６Ｂは、ｓＰＵＣＣＨのために利用され得る例となる特別なサブフレームを例示する。
【図６Ｂ】図６Ｂは、ｓＰＵＣＣＨのために利用され得る例となる特別なサブフレームを例示する。
【図７】[0018]図７は、例となるｓＰＵＣＣＨペイロード構造を例示する。
【図８Ａ】[0019]図８Ａは、異なるタイプの特別なサブフレームおよび異なるＴＤＤ構成にわたって展開される図７の例となるｓＰＵＣＣＨペイロード構造を例示する。
【図８Ｂ】図８Ｂは、異なるタイプの特別なサブフレームおよび異なるＴＤＤ構成にわたって展開される図７の例となるｓＰＵＣＣＨペイロード構造を例示する。
【図８Ｃ】図８Ｃは、異なるタイプの特別なサブフレームおよび異なるＴＤＤ構成にわたって展開される図７の例となるｓＰＵＣＣＨペイロード構造を例示する。
【図８Ｄ】図８Ｄは、異なるタイプの特別なサブフレームおよび異なるＴＤＤ構成にわたって展開される図７の例となるｓＰＵＣＣＨペイロード構造を例示する。
【図９】[0020]図９は、本明細書で開示された技法に従った、例となる通信の方法を例示するフロー図である。
【図１０】[0021]図１０は、より詳細に、アクセスポイントおよびアクセス端末の例となるコンポーネントを例示するデバイスレベルの図である。
【図１１】[0022]図１１は、一連の相互に関係のある機能モジュールとして表される例となる装置を例示する。
【発明を実施するための形態】
【００１２】
[0023]本開示は、一般に、共有通信媒体上でのアップリンク制御チャネルシグナリングを管理することに関する。そのような共有通信媒体上でインプリメントされ得る様々なコンテンションプロシージャ(contention procedures)とよりよく調和するために、短い物理アップリンク制御チャネル（ｓＰＵＣＣＨ）として下記に例として説明される補足の「短い」アップリンク制御チャネルは、アップリンク情報（例えば、アップリンクまたは特別なサブフレーム）を搬送するために指定された１つまたは複数のサブフレーム上に構成され得る。従来のＰＵＣＣＨチャネルが、１つのサブフレームの送信時間間隔（ＴＴＩ）の長さ、または（通常のサイクリックプリフィックス（ＣＰ）動作下の１４個のシンボル期間に対応する）１ｍｓを占有する一方で、ｓＰＵＣＣＨは、時間ドメインにおけるサブフレームに関して定義されたシンボル期間のサブセットのみに広がり得、サブキャリア、特に、周波数ドメインにおけるリソースブロック、のセットにわたってインタレースされ得る。ｓＰＵＣＣＨの持続時間は、（例えば、半静的に）適応させられ得、それのペイロードは、（例えば、特別なサブフレームの異なる構成内に）様々に構成され、ならびに置かれ（situated）得る。ｓＰＵＣＣＨペイロードはまた、現在のおよび前の送信機会（ＴＸＯＰ）の両方についての肯定応答インジケータにわたって様々に配分させられる（proportioned）。
【００１３】
[0024]従来のＰＵＣＣＨに対してより短い長さのｓＰＵＣＣＨは、例えば、特別なサブフレーム(special subframes)のシンボルのうちのただいくつかがアップリンク送信に割り振られる（一方で、特別なサブフレームの他のシンボルはダウンリンク送信または伝搬遅延を許している送信ギャップに割り振られる）場合の特別なサブフレームのような、切り捨てられた（truncated）サブフレームの間のＰＵＣＣＨの送信などの、より日和見的な（opportunistic）送信を許し得る。より短い長さのｓＰＵＣＣＨはまた、特に、ペイロードが小さいとき、アップリンクリソースのより効率の良い使用を許し得る。さらに、ｓＰＵＣＣＨに関連付けられたより短い制御シグナリング送信は、クリアチャネルアセスメント（ＣＣＡ）要件のような、さほど厳しくないリスン・ビフォー・トーク（Listen-Before-Talk）要件に左右され（be subject to）得る。
【００１４】
[0025]本開示のより特定の態様は、例示の目的で提供された様々な例を対象とする下記の記述および関連図において提供される。代替の態様が、本開示の範囲から逸脱することなく考案され得る。追加的に、本開示の周知の態様は、より関連性のある詳細を曖昧にしないために、詳細には説明されない可能性があるか、または省略され得る。
【００１５】
[0026]当業者は、下記に説明される情報および信号が、多様な異なる技術および技法のうちのいずれを使用しても表され得ることを理解するだろう。例えば、下記の全体にわたって参照され得るデータ、命令、コマンド、情報、信号、ビット、シンボル、およびチップは、特定のアプリケーションに部分的に、所望の設計に部分的に、対応する技術に部分的に、等、依存して、電圧、電流、電磁波、磁場または磁性粒子、光場または光学粒子、あるいはそれらの任意の組合せによって表わされ得る。
【００１６】
[0027]さらに、多くの態様は、例えば、コンピューティングデバイスの要素によって行われることになるアクションのシーケンスの観点から説明される。ここに説明される様々なアクションは、特定の回路（例えば、特定用途向け集積回路（ＡＳＩＣ））によって、１つまたは複数のプロセッサによって実行されるプログラム命令によって、またはその両方の組合せによって、行われることができることが認められよう。加えて、ここに説明される態様の各々に関して、任意のそのような態様の対応する形態は、例えば、説明されるアクションを行う「ように構成される論理」としてインプリメントされ得る。
【００１７】
[0028]図１は、「プライマリ」(primary)無線アクセス技術（ＲＡＴ）システム１００および「競合」ＲＡＴシステム１５０を含むような、例として示される、例となるワイヤレスネットワーク環境を例示するシステムレベルの図である。各システムは、様々なタイプの通信（例えば、音声、データ、マルチメディアサービス、関連の制御シグナリング、等）に関連する情報を含め、ワイヤレスリンク上で、受信することおよび／または送信することが一般にできる、異なるワイヤレスノードから成り得る。プライマリＲＡＴシステム１００は、ワイヤレスリンク１３０上でお互いに通信中のアクセスポイント１１０およびアクセス端末１２０を含むように示される。競合ＲＡＴシステム１５０は、別個のワイヤレスリンク１３２上でお互いに通信中の２つの競合ノード１５２を含むように示され、１つまたは複数のアクセスポイント、アクセス端末、またはワイヤレスノードの他のタイプを同様に含み得る。例として、プライマリＲＡＴシステム１００のアクセスポイント１１０およびアクセス端末１２０は、ロングタームエボリューション（ＬＴＥ）技術に従って、ワイヤレスリンク１３０を介して、通信し得、一方で、競合ＲＡＴシステム１５０の競合ノード１５２は、Ｗｉ−Ｆｉ技術に従って、ワイヤレスリンク１３２を介して、通信し得る。各システムは、地理的領域にわたって分散されたワイヤレスノードのいずれかの数をサポートし得、例示されたエンティティは、ただ例示の目的で、示されていることが理解されよう。
【００１８】
[0029]そうでなはいと記載されない限り、用語「アクセス端末」および「アクセスポイント」は、いかなる特定のＲＡＴに特有であるか、または限定されるようには意図されない。一般に、アクセス端末は、通信ネットワークにわたってユーザに通信することを許す任意のワイヤレス通信システムの能力があるデバイス（例えば、モバイル電話、ルータ、パーソナルコンピュータ、サーバ、エンターテインメントデバイス、モノのインターネット（ＩＯＴ：Internet of Things）／全てのインターネット（ＩＯＥ：Internet of Everything）、車載の（in-vehicle）通信システム、等）であり得、ユーザデバイス（ＵＤ）、モバイル局（ＭＳ）、加入者局（ＳＴＡ）、ユーザ機器（ＵＥ）、等のような異なるＲＡＴ環境において、代替的に参照され得る。同様に、アクセスポイントは、アクセスポイントが展開されるネットワークに依存して、アクセス端末と通信中の１つまたはいくつかのＲＡＴに従って、動作し得、代替的に、基地局（ＢＳ）、ネットワークノード、ノードＢ、エボルブド(evolved)ノードＢ（ｅＮＢ）、等と称され得る。例えば、そのようなアクセスポイントは、例えば、スモールセルアクセスポイントに対応し得る。「スモールセル」は、フェムトセル、ピコセル、マクロセル、ワイヤレスローカルエリアネットワーク（ＷＬＡＮ）アクセスポイント、他のスモールカバレッジエリアアクセスポイント、等を含み得、そうでなければそれらとして称され得る低電力アクセスポイントのクラスを一般に言及する。スモールセルは、マクロセルカバレッジを補足するために展開され得、それは、田舎の環境において近所またはいくつかの平方マイル内の少しのブロックをカバーし得、それによって、改善されたシグナリング、インクリメンタルな能力成長、より豊かなユーザ・エクスペリエンス、などへ導く。
【００１９】
[0030]図１に戻って、プライマリＲＡＴシステム１００によって使用されるワイヤレスリンク１３０および競合ＲＡＴシステム１５０よって使用されるワイヤレスリンク１３２は、共有通信媒体１４０上で動作し得る。このタイプの通信媒体は、１つまたは複数の周波数、時間、および／または空間通信リソースから成り得る（例えば、１つまたは複数のキャリアに渡る１つまたは複数のチャネルを包含する）。例として、通信媒体１４０は、アンライセンス周波数バンドの少なくとも一部分に対応し得る。異なるライセンスの周波数バンドが、（例えば、アメリカ合衆国における連邦通信委員会（ＦＣＣ）のような政府機関によって）ある特定の通信に対してリザーブされていたが、いくつかのシステム、とりわけ、それらが用いているスモールセルアクセスポイントは、Ｗｉ−Ｆｉを含むＷＬＡＮ技術によって使用されるＵ−ＮＩＩ（Unlicensed National Information Infrastructure）バンドのような、動作をアンライセンスの周波数バンドに拡張してきた。
【００２０】
[0031]通信媒体１４０の共有使用に起因して、ワイヤレスリンク１３０とワイヤレスリンク１３２との間にクロスリンク(cross-link)干渉の可能性がある。さらに、いくつかのＲＡＴおよびいくつかの管轄区域（jurisdictions）は、通信媒体１４０へのアクセスのために、コンテンション(contention)または「リスン・ビフォー・トーク（（ＬＢＴ：Listen Before Talk）」を必須とし得る。例として、各デバイスが、それのそれ自身の送信のための通信媒体を捕える（およびいくつかの事例ではリザーブする）前に、共有通信媒体上の他のトラフィックの不在を感知する媒体を介して検証するクリアチャネルアセスメント（ＣＣＡ：Clear Channel Assessment）プロトコルは、使用され得る。いくつかの設計において、ＣＣＡプロトコルは、イントラＲＡＴ（intra-RAT）トラフィックおよびインターＲＡＴ（inter-RAT）トラフィックに、それぞれ、通信媒体を譲る（yielding）ための異なった（distinct）ＣＣＡプリアンブル検出（ＣＣＡ−ＰＤ）機構およびＣＣＡエネルギー検出（ＣＣＡ−ＥＤ）機構を含み得る。欧州電気通信標準化機構（ＥＴＳＩ）は、例えば、アンライセンスの周波数バンドのようなある特定の通信媒体上のそれらのＲＡＴに関わらず、全てのデバイスについてのコンテンションを義務づける（mandates）。
【００２１】
[0032]下記により詳細に説明されるように、アクセスポイント１１０および／またはアクセス端末１２０は、上記で簡潔に議論されるダイナミック制御チャネルシグナリング技法を提供またはそうでなければサポートするために、ここでの教示に従って、様々に構成され得る。例えば、アクセスポイント１１０は、制御チャネルマネージャ１１２を含み得、およびアクセス端末１２０は、制御チャネルマネージャ１２２を含み得る。制御チャネルマネージャ１１２および／または制御チャネルマネージャ１２２は、下記にさらに詳細に説明されるような短い物理アップリンク制御チャネル（ｓＰＵＣＣＨ）のような、通信媒体１４０上の制御チャネルの構成を管理するために、異なるやり方において、構成され得る。
【００２２】
[0033]図２は、通信媒体１４０へのコンテンションベースのアクセスを容易にするために、通信媒体１４０上のプライマリＲＡＴシステム１００についてインプリメントされ得る例となる時分割複信（ＴＤＤ）フレーム構造を例示する。
【００２３】
[0034]例示されたフレーム構造は、システムフレーム番号ヌメロロジー(numerology)（ＲＦＮ、ＲＦＮ＋１、ＲＦＮ＋２、等）に従って、ナンバリングされ、およびそれぞれのサブフレーム（ＳＦ）に分割される、一連の無線フレーム（ＲＦ）を含み、それらはまた、参照のためにナンバリングされ得る（例えば、ＳＦ０、ＳＦ１、等）。各それぞれのサブフレームは、複数のスロットにさらに分割され得（図２では図示せず）、およびそれらスロットは、さらに複数のシンボル期間に分割され得る。例として、ＬＴＥフレーム構造は、各々１０個のサブフレームから成る１０２４個のナンバリングされた無線フレームに分割されるシステムフレームを含み、それは、一緒にシステムフレームサイクルの構成要素となる（constitute）（例えば、１ｍｓのサブフレームを有する１０ｍｓの無線フレームの間、１０．２４ｓ続く）。その上、各サブフレームは、２つのスロットを備え得、各スロットは、６つまたは７つのシンボル期間を備え得る。フレーム構造の使用は、よりアドホックなシグナリング技法よりも、より自然で効率の良いデバイス間の協調を提供し得る。
【００２４】
[0035]図２の例となるフレーム構造は、各サブフレームが、ダウンリンク（Ｄ）、アップリンク（Ｕ）、または特別な（Ｓ）サブフレームのような異なる時間において様々に動作され得るＴＤＤである。一般に、ダウンリンクサブフレームは、アクセスポイント１１０からアクセス端末１２０へダウンリンク情報を送信するためにリザーブされ、アップリンクサブフレームは、アクセス端末１２０からアクセスポイント１１０へアップリンク情報を送信するためにリザーブされ、および特別なサブフレーム(special subframes)は、ガード期間によって分けられたアップリンク部分およびダウンリンク部分を含み得る。ダウンリンク、アップリンク、および特別なサブフレームの異なる配置は、異なるＴＤＤ構成として称され得る。上記のＬＴＥの例に戻って、ＬＴＥフレーム構造のＴＤＤの変形は、７つのＴＤＤ構成（ＴＤＤ  Ｃｏｎｆｉｇ  ０からＴＤＤ  Ｃｏｎｆｉｇ  ６）を含み、各構成は、ダウンリンク、アップリンク、および特別なサブフレームの異なる配置を有する。例えば、異なるトラフィック状況を調整する（accommodate）ために、いくつかのＴＤＤ構成は、より多くのダウンリンクサブフレームを有し、いくつかは、より多くのアップリンクサブフレームを有し得る。図２の例示された例において、ＬＴＥにおけるＴＤＤ  Ｃｏｎｆｉｇ  ３と同様であるＴＤＤ構成が用いられる。
【００２５】
[0036]いくつかの設計において、図２のフレーム構造は、各サブフレームの位置が絶対時間に関して予め決定される点で、「固定され」得るが、通信媒体１４０にアクセスするためのコンテンションプロシージャに起因して、いずれの所与の実例において、プライマリＲＡＴシグナリングによって占有され得るか、または占有されない可能性がある。例えば、アクセスポイント１１０またはアクセス端末１２０が、所与のサブフレームについてコンテンションを勝ち取ることができない（fails to win）場合、そのサブフレームは、抑えられ（silenced）得る。しかしながら、他の設計において、図２のフレーム構造は、通信媒体１４０へのアクセスがセキュアであるポイントに関して、各サブフレームの位置が動的に決定されるという点で、「浮いている（floating）」可能性がある。例えば、所与のフレームのスタート（例えば、ＲＦＮ＋１）は、アクセスポイント１１０またはアクセス端末１２０がコンテンションを勝ち取ることができるまでの絶対時間に関して、遅延され得る。
【００２６】
[0037]下記により詳細に説明されるように、アップリンク情報（例えば、図２の例におけるアップリンクまたは特別なサブフレームのいずれかまたは全て）を搬送するために指定される１つまたは複数のサブフレームは、短い物理アップリンク制御チャネル（ｓＰＵＣＣＨ）として、例として、下記に説明される補足の「短い」アップリンク制御チャネルを提供するために構成され得る。ｓＰＵＣＣＨは、肯定応答メッセージ、チャネル品質インジケータ、などのような、短い持続時間制御情報を搬送することによって、プライマリＲＡＴシステム１００の他のアップリンク制御チャネルを補完する(complement)ために使用され得る。一般に、ｓＰＵＣＣＨは、特別なサブフレームのアップリンクシンボル上のような、サブフレームに割り振られるシンボル期間の合計数のサブセット上で、送信され得る。このように、ｓＰＵＣＣＨは、スモールペイロードシグナリングのためのリソースのより効率の良い使用、通信媒体１４０への（例えば、特別なサブフレームのような切り捨てられた(truncated)サブフレームを介した）より日和見的なアクセスを、および、いくつかの事例において、例えば、短い送信持続時間に対する特別な免除(special exemptions)に起因して−通信媒体１４０にコンテンションが免除されたアクセスを提供し得る。通信媒体１４０上の効率の良い動作を容易にするための、ｓＰＵＣＣＨの様々な態様は、下記に説明される。
【００２７】
[0038]図３は、ｓＰＵＣＣＨに関して例となる物理レイヤ構造を例示するリソースマップである。この例において、ｓＰＵＣＣＨは、２つのスロットに広がる一連のシンボル期間（例えば、通常のサイクリックプリフィックス（ＣＰ）についての１４個のシンボル期間）を有するアップリンクサブフレームの第１の部分上で構成される。１つのアップリンクサブフレームの第１の部分の構成が、ただ例示の目的で示され、同様の構成は、アップリンクサブフレームの他の部分に、複数のアップリンクサブフレームに、アップリンクシグナリング（例えば、特別なサブフレーム）に専用のセグメントを有する他のサブフレームに、など適用され得ることが理解されよう。
【００２８】
[0039]一般に、ｓＰＵＣＣＨは、そのサブフレームを作り出すシンボル期間の全てよりも少ないサブセットＮを占有し得る。例示された例において、第１のＰ個のシンボル期間は、パイロットシンボルシグナリング（例えば、復調基準シグナリング（ＤＭＲＳ））について指定され、残りのＮ−Ｐ個のシンボル期間は、ｓＰＵＣＣＨペイロードシンボルを搬送する。例として、ｓＰＵＣＣＨは、時分割多重化（ＴＤＭ）のやり方で、先頭のシンボル期間（例えば、Ｐ＝｛１、２｝）のうちの少数を占有するパイロットシグナリングとともに（with）、１つのスロット（例えば、Ｎ＝｛２、３、４、…、７｝）まで占有し得る。
【００２９】
[0040]示されるように、各ｓＰＵＣＣＨシンボル期間は、周波数ドメインにおけるサブキャリアのセットから形成された１つまたは複数のリソースブロック（ＲＢｓ）に広がり得る。周波数ダイバーシチ、電力使用の効率性、および様々なチャネル占有要件を満たすことに関し、ｓＰＵＣＣＨに専用のＲＢはチャネル帯域幅にわたってインタレースされ得る。例として、１００個のＲＢを有する２０ＭＨｚ帯域幅に対して、毎１０番目のＲＢから成る１０個のＲＢのセットは、アクセス端末１２０のためのｓＰＵＣＣＨに専用にされ得る。
【００３０】
[0041]各ｓＰＵＣＣＨシンボル期間に関して、Ｚａｄｏｆｆ−Ｃｈｕシーケンスまたは同様のものは、ＲＢの数は、インタレースのブロックにおいてインクリメントされる（incremented）という追加の資格（additional qualification）と共に（with）、ＲＢの数の１２倍に等しい長さで（with）生成され得る。上記の例に戻って、各インタレースが１０個のＲＢから成る２０ＭＨｚ帯域幅について、ＲＢの数＝１０ｘＮ＿ｉｎｔｅｒであり、ここで、Ｎ＿ｉｎｔｅｒは、アクセス端末１２０に割り振られたインタレースの数である。
【００３１】
[0042]図４は、ｓＰＵＣＣＨ持続時間をプライマリＲＡＴシステム１００内のトラフィック状態に適応させるための例となる調整プロシージャを例示するシグナリングフロー図である。いくつかの設計において、ｓＰＵＣＣＨの持続時間は、静的であり得、およびアクセス端末１２０において事前に設定され（pre-provisioned）得る。しかしながら、他の設計において、ｓＰＵＣＣＨの持続時間は、可変であり得、およびアクセス端末１２０に（例えば、半静的に）シグナリングされ得る。
【００３２】
[0043]例示された例において、アクセスポイント１１０は、肯定応答されている多入力多出力（ＭＩＭＯ）レイヤの数、肯定応答されているダウンリンクサブフレームの数、（例えば、それにおけるＴＤＤ構成およびユーザスケジューリングの例として）、肯定応答されているコンポーネントキャリアの数（例えば、プライマリセル（ＰＣｅｌｌ）にわたってｓＰＵＣＣＨ上で肯定応答されている１つまたは複数のセカンダリセル（ＳＣｅｌｌ）コンポーネントキャリア）など（ブロック４０２）、のような、ｓＰＵＣＣＨのペイロードの長さに影響している様々な要因についてのトラフィック状態をモニタし得る。
【００３３】
[0044]様々な要因に基づいて、アクセスポイント１１０は、少なくともｓＰＵＣＣＨが承諾ベース(grant-based)でない設計に関して、ｓＰＵＣＣＨ持続時間インジケータ（例えば、シンボル期間の数）（ブロック４０４）を用いて、半静的なシグナリング（例えば、システム情報ブロックまたは同様のもの）を構成し得る。いくらかの時間後において、アクセスポイント１１０は、他の任意のサービス中の（being served）アクセス端末と共に、ｓＰＵＣＣＨ持続時間をアクセス端末１２０に伝える(convey)ように構成されたシグナリング（シグナリング４０６）を送り（例えば、ブロードキャストまたはマルチキャストし）得る。
【００３４】
[0045]調整プロシージャは、継続的に、周期的に、またはイベント主導ベース(event-driven basis)で、所望される通りに、繰り返され得る。
【００３５】
[0046]図５は、アクセス端末にわたるｓＰＵＣＣＨ多重化スキームの例を例示するリソースマップである。一般に、ｓＰＵＣＣＨは、異なるアクセス端末に異なるインタレースを割り振ることによって、周波数分割多重化され得る。例示された例において、第１のインタレース（インタレース＃１）は、第１のアクセス端末（例えば、アクセス端末１２０）に割り振られ得、第２のインタレース（インタレース＃２）は、第２のアクセス端末に割り振られ得る。さらに、所与のインタレース内で、複数のアクセス端末は、符号分割多重化を介して、調整され得る。符号分割多重化は、時間ドメイン、周波数ドメイン、または両方（図示せず）において達成され得る。時間ドメインにおいて、ウォルシュ（Ｗａｌｓｈ）コードが、シンボル期間にわたって使用され得る。用いられるウォルシュコードの長さは、ｓＰＵＣＣＨの長さ（例えば、Ｎ＝４およびＰ＝２のときの例示された例における２の長さ）に依存し得る。周波数ドメインにおいて、ウォルシュコードは、所与のＲＢ内のリソースエレメント（ＲＥ）にわたって使用され得る。
【００３６】
[0047]図６Ａ〜６Ｂは、ｓＰＵＣＣＨのために利用され得る例となる特別なサブフレームを例示する。上記で議論されるように、完全な（full）サブフレームよりも少ないｓＰＵＣＣＨの短い持続時間は、特別なサブフレームのような、切り捨てられたサブフレームを介して、通信媒体１４０へのより日和見的なアクセスを提供し得る。
【００３７】
[0048]図６Ａの設計において、特別なサブフレーム６１０は、「タイプＩ」の特別なサブフレームとして称され、アップリンク部分６１６に後続される、ギャップ部分６１４に後続される、ダウンリンク部分６１２を含む、３つの部分に分割される。示されるように、この設計において、ｓＰＵＣＣＨは、タイプＩの特別なサブフレーム６１０の終わりにおけるアップリンク部分６１６において置かれ得る。図６Ｂの設計において、特別なサブフレーム６２０は、「タイプＩＩ」の特別なサブフレームとして参照され、再び、ダウンリンク部分６２６に後続される、ギャップ部分６２４に後続される、アップリンク部分６２２を含む、異なる時間的に配置で３つの部分に分けられ得る。示されるように、この設計において、ｓＰＵＣＣＨは、タイプＩＩの特別なサブフレーム６２０の始まりにおけるアップリンク部分６２２において置かれ得る。各部分の長さは、異なる状況において、長さゼロ（zero length）を含め、可変であり得る。各部分の異なる長さは、各々、タイプＩＩの特別なサブフレームと同様に、タイプＩのための異なる特別なサブフレーム構成の構成要素となり得る。
【００３８】
[0049]図６Ａ〜６Ｂにおいて、さらに例示されるように、タイプＩの特別なサブフレーム６１０およびタイプＩＩの特別なサブフレーム６２０の位置は、アップリンク／ダウンリンク部分の異なる時間的な配置を調整するために、フレーム構造内でお互いからオフセットされ（offset）得る。特に、タイプＩの特別なサブフレーム６１０は、ダウンリンク部分６１２を先行するダウンリンクサブフレームにそろえるためおよびアップリンク部分６１６を後続のアップリンクサブフレームにそろえるため（例えば、遷移と関連付けられるオーバヘッドを最小化するために）ダウンリンクからアップリンク遷移境界（例えば、アップリンクサブフレームのバーストによって後続されるダウンリンクサブフレームのバーストの間）において、展開され得る。対照的に、タイプＩＩの特別なサブフレーム６２０は、アップリンク部分６２２を先行するアップリンクサブフレームにそろえるためおよびダウンリンク部分６２６を後続のダウンリンクサブフレームにそろえるために（例えば、再び、遷移と関連付けられるオーバヘッドを最小化するために）、アップリンク−ダウンリンク遷移境界（例えば、ダウンリンクサブフレームのバーストに後続されるアップリンクサブフレームのバーストの間）において、展開され得る。
【００３９】
[0050]いずれの事例において、タイプＩの特別なサブフレーム６１０のギャップ部分６１４またはタイプＩＩの特別なサブフレーム６２０のギャップ部分６２４は、通信媒体１４０へのアクセスを獲得するためのコンテンション（例えば、ＣＣＡ）のために使用され得、または、いくつかの展開において、ｓＰＵＣＣＨがコンテンションが免除された（contention-exempt）シグナリングを搬送するとき、そのようにスキップされ得る。ライセンスされたＬＴＥの場合、例えば、ギャップ部分６１４の一部分はまた、ＴＤＤシステムにおける伝搬遅延を対処するためのタイミングアドバンス(timing advance)として使用され得る。ギャップ部分６２４は、代わりに、次に来るダウンリンクサブフレームのためのコンテンションのために使用され得るから、タイプＩＩの特別なサブフレーム６２０は、そのような展開において有利であり得る。
【００４０】
[0051]図７は、ｓＰＵＣＣＨペイロード構造の例を例示する。この例において、ｓＰＵＣＣＨペイロード７００は、関係のある一部分において、前の送信機会（ＴＸＯＰ）ＡＣＫ／ＮＡＣＫフィールド７０２と現在のＴＸＯＰ  ＡＣＫ／ＮＡＣＫフィールド７０４とに分けられる肯定応答／否定応答（ＡＣＫ／ＮＡＣＫ）インジケータを含む。ｓＰＵＣＣＨペイロード７００はまた、（例えば、チャネル品質情報などを運ぶために）何らかの所与のインプリメンテーションに必要であるような１つまたは複数のインジケータ７０６を（随意に）含み得る。
【００４１】
[0052]一般に、前のＴＸＯＰ  ＡＣＫ／ＮＡＣＫフィールド７０２は、現在のＴＸＯＰの前に先立って起こるＴＸＯＰ（例えば、現在の無線フレームＲＦＮに先立って起こる前の無線フレームＲＦＮ−１）において、１つまたは複数のダウンリンクサブフレームについてのＡＣＫ／ＮＡＣＫインジケータを搬送するために使用され得、現在のＴＸＯＰ  ＡＣＫ／ＮＡＣＫフィールド７０４は、現在のＴＸＯＰ（例えば、現在の無線フレームＲＦＮ）において、１つまたは複数のダウンリンクサブフレームについてのＡＣＫ／ＮＡＣＫインジケータを搬送するために使用され得る。各ダウンリンクサブフレームを処理することおよび適したＡＣＫ／ＮＡＣＫインジケータを生成することに関連付けられた遅延のために、それのそれ自身のＴＸＯＰのｓＰＵＣＣＨ内の各ダウンリンクサブフレームに肯定応答（acknowledge）することは実現可能でない場合がある。前のＴＸＯＰ  ＡＣＫ／ＮＡＣＫフィールド７０２をそのように提供することおよび指定することによって、これらのより古いＡＣＫ／ＮＡＣＫインジケータは、コンテンションが、通信媒体１４０へのアクセスを一時的にブロックするときでさえも、アクセスポイント１１０によって適切に識別され得および、ハンドルされ得る。
【００４２】
[0053]図８Ａ〜８Ｄは、異なるタイプの特別なサブフレームおよび異なるＴＤＤ構成にわたって展開される図７の例となるｓＰＵＣＣＨペイロード構造を例示する。一般に、ｓＰＵＣＣＨペイロード内の前のＴＸＯＰ  ＡＣＫ／ＮＡＣＫフィールド７０２と現在のＴＸＯＰ  ＡＣＫ／ＮＡＣＫフィールド７０４との間の相対的な長さは、適応させられ得るか、そうでなければ、フレーム構造ならびに用いられるＴＤＤ構成において、ｓＰＵＣＣＨの位置に適合（fit）するように設定され得る。現在のＴＸＯＰ  ＡＣＫ／ＮＡＣＫフィールド７０４に対して（relative to）より大きい前のＴＸＯＰ  ＡＣＫ／ＮＡＣＫフィールド７０２は、例えば、前のＴＸＯＰに関連付けられる前の特別なサブフレームの処理遅延しきい値内に位置される追加のダウンリンクサブフレームを調整するために、タイプＩＩの特別なサブフレームと比較するとタイプＩの特別なサブフレームと併せて利用され得る。それと同時に、現在のＴＸＯＰ  ＡＣＫ／ＮＡＣＫフィールド７０４に対してより小さい前のＴＸＯＰ  ＡＣＫ／ＮＡＣＫフィールド７０２は、例えば、特別なサブフレームが位置される遷移境界の前の所与のＴＸＯＰ内に位置される追加のダウンリンクサブフレームを調整するために、アップリンク多量(uplink-heavy)ＴＤＤ構成と比較するとダウンリンク多量(downlink-heavy)ＴＤＤ構成と併せて、利用され得る。
【００４３】
[0054]図８Ａの例において、図６Ａを参照して上記に詳細に説明されるタイプＩの特別なサブフレームおよびバランスのとれた（balanced）ＴＤＤ構成（５つのダウンリンクサブフレーム／４つのアップリンクサブフレーム）は、例示の目的で、４つのサブフレームの例となる最小限の肯定応答処理遅延と共に示される。ここでは、ｓＰＵＣＣＨペイロードは、（ｓＰＵＣＣＨを搬送する特別なサブフレームからの４つのサブフレームよりも少ないそれらのダウンリンクサブフレームを含む）前のＴＸＯＰからの３つのダウンリンクサブフレーム、および（ｓＰＵＣＣＨを搬送する特別なサブフレームからの少なくとも４つのサブフレームであるそれらのダウンリンクサブフレームを含む）現在のＴＸＯＰからの２つのダウンリンクサブフレームについて、ＡＣＫ／ＮＡＣＫを適応させる必要がありえる。
【００４４】
[0055]したがって、この例において、より多くのＡＣＫ／ＮＡＣＫビットは、現在のＴＸＯＰ  ＡＣＫ／ＮＡＣＫフィールド７０４と比較すると前のＴＸＯＰ  ＡＣＫ／ＮＡＣＫフィールド７０２に割り振られ得る。ＡＣＫ／ＮＡＣＫビット割り振りの特定の数および割合は、ハイブリッド自動再送要求（ＨＡＲＱ）多重化、ＨＡＲＱバンドリング、などのインプリメンテーションの詳細に基づいて、アプリケーションごとに変わり得ることが再び理解されよう。前のＴＸＯＰ  ＡＣＫ／ＮＡＣＫフィールド７０２および現在のＴＸＯＰ  ＡＣＫ／ＮＡＣＫフィールド７０４にわたる１つまたは複数のＡＣＫ／ＮＡＣＫビットの５つのセットの例示された割り振りがただ例示の目的で提供され、この例において、ただ前のＴＸＯＰ  ＡＣＫ／ＮＡＣＫフィールド７０２の長さと現在のＴＸＯＰ  ＡＣＫ／ＮＡＣＫフィールド７０４の長さとの間の相対的相違を示すことのみが意図される。
【００４５】
[0056]代替的に、ｓＰＵＣＣＨペイロードの長さは、ＨＡＲＱ処理の最大数または現在アクティブなＨＡＲＱ処理の数のいずれかの関数（a function of）であり得る。前者において、ＨＡＲＱ処理の最大数は、アクセスポイント１１０によって、半静的に構成され得、後者において、アクセス端末１２０は、スケジューリングされたＨＡＲＱ処理のみのためＡＣＫ／ＮＡＣＫ情報を送信し得る。
【００４６】
[0057]図８Ｂの例において、タイプＩの特別なサブフレームおよびよりダウンリンク多量のＴＤＤ構成（７つのダウンリンクサブフレーム／２つのアップリンクサブフレーム）は、例示の目的で、４つのサブフレームの例となる最小限の肯定応答処理遅延と共に示される。ここでは、ｓＰＵＣＣＨペイロードは、（ｓＰＵＣＣＨを搬送する特別なサブフレームからの４つのサブフレームよりも少ないそれらのダウンリンクサブフレームを含む）前のＴＸＯＰからの３つのダウンリンクサブフレーム、および（ｓＰＵＣＣＨを搬送する特別なサブフレームからの少なくとも４つのサブフレームであるそれらのダウンリンクサブフレームを含む）現在のＴＸＯＰからの４つのダウンリンクサブフレームについて、ＡＣＫ／ＮＡＣＫを適応させる必要がありえる。
【００４７】
[0058]したがって、この例において、より多くのＡＣＫ／ＮＡＣＫビットが、前のＴＸＯＰ  ＡＣＫ／ＮＡＣＫフィールド７０２と比較すると現在のＴＸＯＰ  ＡＣＫ／ＮＡＣＫフィールド７０４に割り振られ得る。ＡＣＫ／ＮＡＣＫビット割り振りの特定の数および割合は、アプリケーションごとに変わり得ること、および、この例において、前のＴＸＯＰ  ＡＣＫ／ＮＡＣＫフィールド７０２の長さと現在のＴＸＯＰ  ＡＣＫ／ＮＡＣＫフィールド７０４の長さとの間の相対的相違を示すためのただ例示の目的で、前のＴＸＯＰ  ＡＣＫ／ＮＡＣＫフィールド７０２および現在のＴＸＯＰ  ＡＣＫ／ＮＡＣＫフィールド７０４にわたる１つまたは複数のＡＣＫ／ＮＡＣＫビットの５つのセットの例示された割り振りが提供されることが再び理解されよう。
【００４８】
[0059]図８Ｃの例において、図６Ｂを参照して上記に詳細に説明されるタイプＩＩの特別なサブフレームおよびバランスのとれたＴＤＤ構成（５つのダウンリンクサブフレーム／４つのアップリンクサブフレーム）は、例示の目的で、４つのサブフレームの例となる最小限の肯定応答処理遅延と共に示される。ここでは、ｓＰＵＣＣＨペイロードは、現在のＴＸＯＰからのダウンリンクサブフレームのうちの全ての５つについてＡＣＫ／ＮＡＣＫを調整することが可能であり得、なぜならｓＰＵＣＣＨを搬送する特別なサブフレームからの４つのサブフレームよりも少ないダウンリンクサブフレームは、１つとしてないからである。
【００４９】
[0060]したがって、この例において、ＡＣＫ／ＮＡＣＫビットの各々は、現在のＴＸＯＰ  ＡＣＫ／ＮＡＣＫフィールド７０４に割り振られ得る。特定のＡＣＫ／ＮＡＣＫビット割り振りは、アプリケーションごとに変わり得ること、および、１つまたは複数のＡＣＫ／ＮＡＣＫビットの５つのセットの例示された割り振りがただ例示の目的で提供されることが再び理解されよう。このように、タイプＩＩの特別なサブフレーム６２０は、そのような展開において、追加的に有利であり得、なぜなら、それは、簡易化されたｓＰＵＣＣＨペイロード構造を提供し得るからである。それにもかかわらず、いくつかのタイプＩＩの特別なサブフレーム設計を考慮に入れても、例えば、よりダウンリンク多量のＴＤＤ構成のためなどに、前のＴＸＯＰ  ＡＣＫ／ＮＡＣＫフィールド７０２と現在のＴＸＯＰ  ＡＣＫ／ＮＡＣＫフィールド７０４との間の分離が保持されることは、有利であり得る。
【００５０】
[0061]図８Ｄの例において、タイプＩＩの特別なサブフレームおよびよりダウンリンク多量のＴＤＤ構成（８つのダウンリンクサブフレーム／１つのアップリンクサブフレーム）は、例示の目的で、４つのサブフレームの例となる最小限の肯定応答処理遅延と共に示される。ここでは、ｓＰＵＣＣＨペイロードは、（ｓＰＵＣＣＨを搬送する特別なサブフレームからの４つのサブフレームよりも少ないそれらのダウンリンクサブフレームを含む）前のＴＸＯＰからの２つのダウンリンクサブフレーム、および（ｓＰＵＣＣＨを搬送する特別なサブフレームからの少なくとも４つのサブフレームであるそれらのダウンリンクサブフレームを含む）現在のＴＸＯＰからの６つのダウンリンクサブフレームについて、ＡＣＫ／ＮＡＣＫを適応させる必要がありえる。
【００５１】
[0062]したがって、この例において、前のＴＸＯＰ  ＡＣＫ／ＮＡＣＫフィールド７０２は、依然として利用され得るが、より多くのＡＣＫ／ＮＡＣＫビットが、前のＴＸＯＰ  ＡＣＫ／ＮＡＣＫフィールド７０２と比較すると現在のＴＸＯＰ  ＡＣＫ／ＮＡＣＫフィールド７０４に割り振られ得る。ＡＣＫ／ＮＡＣＫビット割り振りの特定の数および割合は、アプリケーションごとに変わり得ること、および、この例において、前のＴＸＯＰ  ＡＣＫ／ＮＡＣＫフィールド７０２の長さと現在のＴＸＯＰ  ＡＣＫ／ＮＡＣＫフィールド７０４の長さとの間の相対的相違を示すためのただ例示の目的で、前のＴＸＯＰ  ＡＣＫ／ＮＡＣＫフィールド７０２および現在のＴＸＯＰ  ＡＣＫ／ＮＡＣＫフィールド７０４にわたる１つまたは複数のＡＣＫ／ＮＡＣＫビットの５つのセットの例示された割り振りが提供されることが再び理解されよう。
【００５２】
[0063]図９は、上記に説明される技法に従って、例となる通信のための方法を例示するフロー図である。方法９００は、例えば、共有通信媒体上で動作するアクセスポイント（例えば、図１において例示されるアクセスポイント１１０）またはアクセス端末（例えば、図１において例示されるアクセス端末１２０）によって、行われ得る。例として、通信媒体は、ＬＴＥ技術のデバイスとＷｉ−Ｆｉ技術のデバイスとの間で共有されるアンライセンス(unlicensed)の無線周波数バンド上で、１つまたは複数の時間、周波数、または空間リソースを含み得る。
【００５３】
[0064]示されるように、アクセスポイントまたはアクセス端末は、各々が複数の時間ドメインのシンボル期間に広がるサブフレームのセットを定義するＴＤＤフレーム構造に従って、通信媒体上で通信し得る（ブロック９０２）。アップリンクシグナリングのために構成されたサブフレームの一部分におけるサブフレームのうちの１つまたは複数上のｓＰＵＣＣＨを介して、制御情報を、アクセスポイントは送信し得、またはアクセス端末は受信し得、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備える（ブロック９０４）。
【００５４】
[0065]いくつかの設計または状況において、アクセスポイントは、例えば、通信媒体上でトラフィック状態をモニタすることと、モニタされたトラフィック状態に基づいて、ｓＰＵＣＣＨについて持続時間インジケータを構成することと、持続時間インジケータを１つまたは複数のアクセス端末にブロードキャストまたはマルチキャストすることとによって、ｓＰＵＣＣＨ持続時間に（例えば、半静的に）適応させ得る（随意的なブロック９０６）。
【００５５】
[0066]上記でより詳細に議論されるように、ｓＰＵＣＣＨは、周波数ドメインサブキャリアのセットから形成される複数のインタレースされたＲＢに広がり得る。さらに、複数のアクセス端末は、周波数ドメイン、時間ドメイン、またはそれらの組合せにおけるｓＰＵＣＣＨ上で多重化され得る。
【００５６】
[0067]また上記により詳細に議論されるように、ｓＰＵＣＣＨは、ＴＤＤフレーム構造によって定義されたサブフレームの中からの特別なサブフレームのアップリンク部分上で送信または受信され得る。ｓＰＵＣＣＨが送信または受信されるアップリンク部分は、特別なサブフレームのギャップ部分およびダウンリンク部分に続く特別なサブフレームの終わりに位置され得る。ここでは、特別なサブフレームは、ＴＤＤフレーム構造内のダウンリンク−アップリンク遷移境界に位置され得る。代替的に、ｓＰＵＣＣＨが送信または受信されるアップリンク部分は、特別なサブフレームのギャップ部分およびダウンリンク部分に先行する特別なサブフレームの始まりに位置され得る。ここでは、特別なサブフレームは、ＴＤＤフレーム構造内のアップリンク−ダウンリンク遷移境界に位置され得る。
【００５７】
[0068]また上記により詳細に議論されるように、ｓＰＵＣＣＨペイロードシンボルは、前のＴＸＯＰ  ＡＣＫ／ＮＡＣＫフィールドと現在のＴＸＯＰ  ＡＣＫ／ＮＡＣＫフィールドとに分けられるＡＣＫ／ＮＡＣＫインジケータを備え得る。いくつかの設計または状況において、アクセスポイントは、（ｉ）ｓＰＵＣＣＨが送信または受信されるＴＤＤフレーム構造内の特別なサブフレームの位置、（ｉｉ）ＴＤＤフレーム構造に関連付けられたＴＤＤ構成、または（ｉｉｉ）それらの組合せ、に基づいて、前のＴＸＯＰ  ＡＣＫ／ＮＡＣＫフィールドと現在のＴＸＯＰ  ＡＣＫ／ＮＡＣＫフィールドとの間の相対的な長さを設定し得る（随意的なブロック９０８）。
【００５８】
[0069]一般性のため、アクセスポイント１１０およびアクセス端末１２０は、それぞれ、制御チャネルマネージャ１１２および制御チャネルマネージャ１２２、を含むような関係のある部分においてのみ、図１において示される。しかしながら、アクセスポイント１１０およびアクセス端末１２０は、ここで議論された制御チャネルシグナリング技法を提供するかまたはそうでなければサポートするための様々なやり方で構成され得ることが理解されよう。
【００５９】
[0070]図１０は、より詳細に、プライマリＲＡＴシステム１００のアクセスポイント１１０およびアクセス端末１２０の例となるコンポーネントを例示するデバイスレベルの図である。示されるように、アクセスポイント１１０およびアクセス端末１２０は、各々、少なくとも１つの指定されたＲＡＴを介して、他のワイヤレスノードと通信するための（通信デバイス１０３０および１０５０によって表される）ワイヤレス通信デバイスを一般に含む。通信デバイス１０３０および１０５０は、指定されたＲＡＴ（例えば、メッセージ、インジケータ、情報、パイロット、など）に従って、信号を送信および符号化するために、および、逆に、信号を受信および復号するために、様々に構成され得る。
【００６０】
[0071]通信デバイス１０３０および１０５０は、例えば、それぞれのプライマリＲＡＴトランシーバ１０３２および１０５２、および、いくつかの設計において、それぞれ、（例えば、競合ＲＡＴシステム１５０によって用いられるＲＡＴに対応する）（随意的な）コロケートされた(co-located)セカンダリＲＡＴトランシーバ１０３４および１０５４のような、１つまたは複数のトランシーバを含み得る。ここで使用される場合、「トランシーバ」は、送信機回路、受信機回路、またはそれらの組合せを含み得るが、全ての設計において、送信の機能性および受信の機能性の両方を提供する必要はない。例えば、低機能性受信機回路は、完全な通信を提供することが必要でないときコストを減らすために、いくつかの設計において、用いられ得る（例えば、無線チップまたは低レベルのスニフィング（sniffing）のみを提供する同様の回路）。さらに、ここで使用される場合、用語「コロケートされる（co-located）」（例えば、ラジオ、アクセスポイント、トランシーバ、等）は、様々な配置のうちの１つに言及し得る。例えば、同じハウジングにあるコンポーネント、同じプロセッサによってホストされるコンポーネント、互いに定義された距離内にあるコンポーネント、および／または、インタフェース（例えば、イーサネット（登録商標）スイッチ）を介して接続されたコンポーネントであって、ここでインタフェースは、いかなる要求されるコンポーネント間通信（例えば、メッセージング）のレイテンシ要件(latency requirements)も満たす。
【００６１】
[0072]アクセスポイント１１０およびアクセス端末１２０はまた、それらのそれぞれの通信デバイス１０３０および１０５０（例えば、指示すること、修正すること、イネーブルすること、ディセーブルすること、等）の動作を制御するための（通信コントローラ１０４０および１０６０によって表される）通信コントローラを、各々、一般に含む。通信コントローラ１０４０および１０６０は、それぞれ、１つまたは複数のプロセッサ１０４２および１０６２、ならびにプロセッサ１０４２および１０６２に結合された１つまたは複数のメモリ１０４４および１０６４を含み得る。メモリ１０４４および１０６４は、オンボードキャッシュメモリとしてか、別個のコンポーネントとしてか、組合せか、等で、データ、命令、またはそれらの組合せを記憶するために構成され得る。プロセッサ１０４２および１０６２ならびにメモリ１０４４および１０６４は、スタンドアロン通信コンポーネントであり得るか、または、アクセスポイント１１０およびアクセス端末１２０のそれぞれのホストシステムの機能性の部分であり得る。
【００６２】
[0073]制御チャネルマネージャ１１２および制御チャネルマネージャ１２２は、異なるやり方でインプリメントされることが理解されよう。いくつかの設計において、それに関連付けられた機能性のいくつかまたは全ては、少なくとも１つのプロセッサ（例えば、プロセッサ１０４２のうちの１つまたは複数および／またはプロセッサ１０６２のうちの１つまたは複数）、少なくとも１つのメモリ（例えば、メモリ１０４４のうちの１つまたは複数および／またはメモリ１０６４のうちの１つまたは複数）、少なくとも１つのトランシーバ（例えば、トランシーバ１０３２および１０３４のうちの１つまたは複数および／またはトランシーバ１０５２および１０５４のうちの１つまたは複数）、あるいはそれらの組合せによって、またはそうでなければ、それらの指示で（at the direction of）インプリメントされ得る。他の設計において、それに関連付けられた機能性のいくつかまたは全ては、一連の相互に関係のある機能性モジュールとしてインプリメントされ得る。
【００６３】
[0074]したがって、図１０におけるコンポーネントは、図１〜９を参照して上記に説明される動作を行うために、使用され得ることが理解されよう。例えば、アクセスポイント１１０は、各々が複数の時間ドメインのシンボル期間に広がるサブフレームのセットを定義するＴＤＤフレーム構造に従って、通信媒体１４０上で、プロセッサ１０４２およびメモリ１０４４を介して、通信を制御し得る。アクセスポイント１１０は、プライマリＲＡＴトランシーバ１０３２を介して、アップリンクシグナリングのために構成されたサブフレームの一部分におけるサブフレームのうちの１つまたは複数上のｓＰＵＣＣＨを介して、制御情報を送信し得、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備える。アクセスポイント１１０はまた、例えば、通信媒体上でトラフィック状態をモニタすることと、モニタされたトラフィック状態に基づいて、ｓＰＵＣＣＨについて持続時間インジケータを構成することと、プライマリＲＡＴトランシーバ１０３２に、１つまたは複数のアクセス端末に持続時間インジケータをブロードキャストまたはマルチキャストするよう指図することとによって、プロセッサ１０４２およびメモリ１０４４を介して、ｓＰＵＣＣＨ持続時間を適応させ得る。加えて、アクセスポイント１１０はまた、（ｉ）ｓＰＵＣＣＨが送信または受信されるＴＤＤフレーム構造内の特別なサブフレームの位置、（ｉｉ）ＴＤＤフレーム構造に関連付けられたＴＤＤ構成、または（ｉｉｉ）それらの組合せ、に基づいて、前のＴＸＯＰ  ＡＣＫ／ＮＡＣＫフィールドと現在のＴＸＯＰ  ＡＣＫ／ＮＡＣＫフィールドとの間の相対的な長さを、プロセッサ１０４２およびメモリ１０４４を介して、設定し得る。
【００６４】
[0075]別の例として、アクセス端末１２０は、各々が複数の時間ドメインのシンボル期間に広がるサブフレームのセットを定義するＴＤＤフレーム構造に従って、通信媒体１４０上で、プロセッサ１０６２およびメモリ１０６４を介して、通信を制御し得る。アクセス端末１２０は、プライマリＲＡＴトランシーバ１０５２を介して、アップリンクシグナリングのために構成されたサブフレームの一部分におけるサブフレームのうちの１つまたは複数上のｓＰＵＣＣＨを介して、制御情報を受信し得、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備える。
【００６５】
[0076]図１１は、一連の相互に関係のある機能モジュールとして表される制御チャネルマネージャ１１２および／または制御チャネルマネージャ１２２をインプリメントするための例となるアクセスポイント装置を例示する。例示された例において、装置１１００は、通信するためのモジュール１１０２、送信または受信するためのモジュール１１０４、（随意的な）適応させるためのモジュール１１０６、および（随意的な）設定するためのモジュール１１０８を含む。
【００６６】
[0077]通信するためのモジュール１１０２は、各々が複数の時間ドメインのシンボル期間に広がるサブフレームのセットを定義するＴＤＤフレーム構造に従って、通信媒体上で通信するように構成され得る。送信または受信するためのモジュール１１０４は、アップリンクシグナリングのために構成されたサブフレームの一部分におけるサブフレームのうちの１つまたは複数上のｓＰＵＣＣＨを介して、制御情報を送信または受信するように構成され得、ｓＰＵＣＣＨは、１つまたは複数のサブフレームのうちの各々におけるシンボル期間の全てよりも少ないサブセットを集合的に占有する１つまたは複数のペイロードシンボルおよび１つまたは複数のパイロットシンボルを備える。
【００６７】
[0078]いくつかの設計または状況において、（随意的な）適応させるためのモジュール１１０６は、例えば、通信媒体上でトラフィック状態をモニタすることと、モニタされたトラフィック状態に基づいて、ｓＰＵＣＣＨについて持続時間インジケータを構成することと、持続時間インジケータを１つまたは複数のアクセス端末にブロードキャストまたはマルチキャストすることとによって、ｓＰＵＣＣＨ持続時間に（例えば、半静的に）適応させるために構成され得る。
【００６８】
[0079]上記でより詳細に議論されるように、ｓＰＵＣＣＨは、周波数ドメインサブキャリアのセットから形成される複数のインタレースされたＲＢに広がり得る。さらに、複数のアクセス端末は、周波数ドメイン、時間ドメイン、またはそれらの組合せにおけるｓＰＵＣＣＨ上で多重化され得る。
【００６９】
[0080]また上記により詳細に議論されるように、ｓＰＵＣＣＨは、ＴＤＤフレーム構造によって定義されたサブフレームの中からの特別なサブフレームのアップリンク部分上で送信または受信され得る。ｓＰＵＣＣＨが送信または受信されるアップリンク部分は、特別なサブフレームのギャップ部分およびダウンリンク部分に続く特別なサブフレームの終わりに位置され得る。ここでは、特別なサブフレームは、ＴＤＤフレーム構造内のダウンリンク−アップリンク遷移境界に位置され得る。代替的に、ｓＰＵＣＣＨが送信または受信されるアップリンク部分は、特別なサブフレームのギャップ部分およびダウンリンク部分に先行する特別なサブフレームの始まりに位置され得る。ここでは、特別なサブフレームは、ＴＤＤフレーム構造内のアップリンク−ダウンリンク遷移境界に位置され得る。
【００７０】
[0081]また上記により詳細に議論されるように、ｓＰＵＣＣＨペイロードシンボルは、前のＴＸＯＰ  ＡＣＫ／ＮＡＣＫフィールドと現在のＴＸＯＰ  ＡＣＫ／ＮＡＣＫフィールドとに分けられるＡＣＫ／ＮＡＣＫインジケータを備え得る。いくつかの設計または状況において、設定するための（随意的な）モジュール１１０８は、（ｉ）ｓＰＵＣＣＨが送信または受信されるＴＤＤフレーム構造内の特別なサブフレームの位置、（ｉｉ）ＴＤＤフレーム構造に関連付けられたＴＤＤ構成、または（ｉｉｉ）それらの組合せ、に基づいて、前のＴＸＯＰ  ＡＣＫ／ＮＡＣＫフィールドと現在のＴＸＯＰ  ＡＣＫ／ＮＡＣＫフィールドとの間の相対的な長さを設定するように構成され得る。
【００７１】
[0082]図１１のモジュールの機能性は、ここでの教示と一致する様々なやり方においてインプリメントされ得る。いくつかの設計では、これらのモジュールの機能は、１つまたは複数の電気コンポーネントとしてインプリメントされ得る。いくつかの設計では、これらのブロックの機能は、１つまたは複数のプロセッサコンポーネントを含む処理システムとしてインプリメントされ得る。いくつかの設計において、これらのモジュールの機能は、例えば、１つまたは複数の集積回路（例えば、ＡＳＩＣ）の少なくとも一部分を使用してインプリメントされ得る。ここで議論されるように、集積回路は、プロセッサ、ソフトウェア、他の関連するコンポーネント、またはそれらのいくつかの組合せを含み得る。このように、異なるモジュールの機能は、例えば、集積回路の異なるサブセット、ソフトウェアモジュールのセットの異なるサブセット、またはそれらの組合せとしてインプリメントされ得る。また、（例えば、集積回路および／またはソフトウェアモジュールのセットの）所与のサブセットが、１つよりも多くのモジュールについての機能の少なくとも一部分を提供し得ることが理解されよう。
【００７２】
[0083]加えて、図１１によって表されたコンポーネントおよび機能、ならびにここに説明された他のコンポーネントおよび機能は、任意の適した手段を使用してインプリメントされ得る。そのような手段はまた、少なくとも部分的に、ここに教示された対応する構造を使用してインプリメントされ得る。例えば、図１１の「〜のためのモジュール」というコンポーネントと併せて上記で説明されたコンポーネントはまた、同様に指定された「〜のための手段」という機能性に対応し得る。このように、いくつかの態様では、そのような手段のうちの１つまたは複数は、アルゴリズムを含め、ここに教示されたプロセッサコンポーネント、集積回路、または他の適した構造のうちの１つまたは複数を使用してインプリメントされ得る。当業者は、疑似コード(pseudocode)によって表され得るアクションのシーケンスにおいてと同様に、上記で説明された文において表されるアルゴリズムをこの開示において認識するだろう。例えば、図１１によって表されるコンポーネントおよび機能は、ＬＯＡＤ演算、ＣＯＭＰＡＲＥ演算、ＲＥＴＵＲＮ演算、ＩＦ−ＴＨＥＮ−ＥＬＳＥループ、などを行うためのコードを含み得る。
【００７３】
[0084]「第１の」、「第２の」、等のような指定を使用する、本明細書中の要素へのいずれの参照も、一般には、これら要素の数量または順序を限定しないことが理解されるべきである。むしろ、これらの称号は、２つ以上の要素、または１つの要素の複数の実例を区別する便利な方法として、ここでは使用され得る。このように、第１および第２の要素の言及は、そこで２つの要素のみが使用され得ること、または第１の要素がなんらかの方法で第２の要素に先行しなければならないことを、意味するのではない。また、特にそうでないことが述べられていない限り、要素のセットは、１つまたは複数の要素を備え得る。加えて、本明細書または特許請求の範囲において使用されている「Ａ、Ｂ、またはＣのうちの少なくとも１つ」、または「Ａ、Ｂ、またはＣのうちの１つまたは複数」、または「Ａ、Ｂ、およびＣから成るグループのうちの少なくとも１つ」という形態の用語は、「ＡまたはＢまたはＣまたはこれらエレメントの任意の組合せ」を意味する。例えば、この用語は、Ａ、またはＢ、またはＣ、あるいはＡおよびＢ、またはＡおよびＣ、またはＡおよびＢおよびＣ、あるいは２Ａ、または２Ｂ、または２Ｃ、などを含み得る。
【００７４】
[0085]上記の記述および説明を考慮して、当業者は、ここに開示された態様に関連して説明された様々な例示的な論理ブロック、モジュール、回路、およびアルゴリズムステップが電子ハードウェア、コンピュータソフトウェア、または両方の組合せとしてインプリメントされ得ることを理解するだろう。ハードウェアおよびソフトウェアのこの互換性を明確に例示するために、様々な例示的なコンポーネント、ブロック、モジュール、回路、およびステップは、概してそれらの機能の観点から上記に説明された。このような機能が、ハードウェアとしてインプリメントされるか、あるいはソフトウェアとしてインプリメントされるかは、特定のアプリケーションおよびシステム全体に課せられる設計制約に依存する。当業者は、特定のアプリケーションごとに多様な方法において、説明された機能をインプリメントし得るが、このようなインプリメンテーションの決定は、本開示の範囲から逸脱を引き起こしていると解釈されるべきでない。
【００７５】
[0086]したがって、例えば、いくつかの態様では、装置または装置の任意のコンポーネントは、ここに教示された機能性を提供するように構成され得る（または動作可能であり得るかまたは適応させられ得る）ことが理解されよう。これは、例えば、装置またはコンポーネントを、それが機能性を提供することになるように製造すること（manufacturing）（例えば、組み上げられる（fabricating）こと）によって、装置またはコンポーネントを、それが機能性を提供することになるようにプログラミングすることによって、または何らかの他の適したインプリメンテーション技法の使用を通して、達成され得る。１つの例として、集積回路は、必須の機能性を提供するように組み上げら得る。別の例として、集積回路は、必須の機能性をサポートするように組み上げられ得、そして必須の機能性を提供するように（例えば、プログラミングを介して）構成され得る。さらに別の例として、プロセッサ回路は、必須の機能性を提供するためのコードを実行し得る。
【００７６】
[0087]その上、ここに開示された態様に関連して説明された方法、シーケンス、および／またはアルゴリズムは、ハードウェアにおいて、プロセッサによって実行されるソフトウェアモジュールにおいて、またはそれら２つの組み合せにおいて、直接的に具現化され得る。ソフトウェアモジュールは、ランダムアクセスメモリ（ＲＡＭ）、フラッシュメモリ、読み出し専用メモリ（ＲＯＭ）、消去可能プログラマブルメモリ（ＥＰＲＯＭ）、電気的消去可能プログラマブル読み出し専用メモリ（ＥＥＰＲＯＭ（登録商標））、レジスタ、ハードディスク、リムーバブルディスク、ＣＤ−ＲＯＭ、または、一時的であれ、非一時的であれ、当該技術分野において知られているその他任意の形状の記憶媒体において存在し得る。例となる記憶媒体は、プロセッサが記憶媒体から情報を読み取り、また記憶媒体に情報を書き込むことができるように、プロセッサに結合される。代替として、記憶媒体は、プロセッサと一体化され得る（例えば、キャッシュメモリ）。
【００７７】
[0088]したがって、例えば、本開示のある特定の態様は、通信のための方法を具現化する一時的または非一時的なコンピュータ読取り可能媒体を含むことができることがまた理解されよう。
【００７８】
[0089]前述の開示は様々な例示的な態様を示すが、添付の特許請求の範囲によって定義される範囲から逸脱することなく、ここで様々な変更および修正が例示された例に成されることができることに留意されたい。本開示は、特に例示された例だけに限定されるようには意図されない。例えば、そうでなはいと記載されない限り、ここに説明された本開示の態様に従う方法の請求項の機能、ステップ、および／またはアクションは、任意の特定の順序で行われる必要はない。さらに、ある特定の態様は、単数形で説明または特許請求され得るが、単数形への限定が明記されていない限り、複数形は考慮されている。
【図１】
2019502300.tif 000003
【図２】
2019502300.tif 000004
【図３】
2019502300.tif 000005
【図４】
2019502300.tif 000006
【図５】
2019502300.tif 000007
【図６Ａ】
2019502300.tif 000008
【図６Ｂ】
2019502300.tif 000009
【図７】
2019502300.tif 000010
【図８Ａ】
2019502300.tif 000011
【図８Ｂ】
2019502300.tif 000012
【図８Ｃ】
2019502300.tif 000013
【図８Ｄ】
2019502300.tif 000014
【図９】
2019502300.tif 000015
【図１０】
2019502300.tif 000016
【図１１】
2019502300.tif 000017
【国際調査報告】
2019502300.tif 000018
2019502300.tif 000019
2019502300.tif 000020